(57)【特許請求の範囲】
【請求項１】
譲渡を希望する債権の少なくとも金額を含む内容を順次受け付ける登録手段と、該登録手段によって順次受け付けられる該債権の内容を順次記憶する記憶手段と、照会を希望する債権の照会条件を受け付け、該照会条件に従って該記憶手段に記憶される債権の内容を検索し、その検索した結果を出力する照会手段と、を備えてなる、債権照会装置であって、
該登録手段が、譲渡を希望する債権の内容を新たに受け付けると、債権の内容を新たに受け付ける際に該記憶手段に記憶されている既登録の債権と、該新たに受け付ける債権と、を組み合わせて組み合わせたものごとの合計金額を算出し、
該記憶手段が、該登録手段が組み合わせた該組み合わせたもの毎に、該組み合わせたものを構成する債権と、該組み合わせたものの合計金額と、を個別の債権の組合せを特定する個別債権特定情報と関連付けて記憶し、そして
譲受を希望する債権を特定する該個別債権特定情報を含む譲受債権特定条件を受け付け、該記憶手段が譲渡する対象として記憶している該譲受債権特定条件に合致する債権を譲渡する対象から除外し、そして該記憶手段が譲渡する対象として記憶している該譲受債権特定条件に合致する債権を該記憶手段の譲渡する対象から除外した残りに存する債権を組み合わせて除外後の組み合わせたものごとの合計金額を算出する購入手段を、さらに備え、
該記憶手段が、該購入手段が組み合わせた該除外後の組み合わせたもの毎に、該除外後の組み合わせたものを構成する債権と、該除外後の組み合わせたものの合計金額と、を個別の債権の組合せを特定する個別債権特定情報と関連付けて記憶するものである、
債権照会装置。
【請求項２】
前記購入手段が、前記譲受債権特定条件を受け付けると前記記憶手段に譲渡する対象として記憶されている既登録の債権を読み出す購入読み出し手段と、該購入読み出し手段によって読み出された該既登録の債権から前記譲受債権特定条件に合致する債権を譲渡する対象から除外し、該読み出された既登録の債権から前記譲受債権特定条件に合致する債権を除外した残りに存する債権を組み合わせて前記除外後の組み合わせたものごとの合計金額を算出する除外後組合せ手段と、を有するものである、請求項１に記載の債権照会装置。
【請求項３】
前記購入手段が、前記除外後組合せ手段によって作成された前記除外後の組み合わせたものを金額の降順又は昇順のいずれかの順番に従って並び替える除外後並び替え手段を、さらに有してなるものである、請求項２に記載の債権照会装置。
【請求項４】
前記登録手段が、債権の内容を新たに受け付けると前記記憶手段に記憶されている既登録の債権を読み出す既登録読み出し手段と、該既登録読み出し手段によって読み出された該既登録の債権と該新たに受け付けた債権とを組み合わせて組み合わせたものごとの合計金額を算出する組合せ手段と、を有してなる、請求項１乃至３のいずれかに記載の債権照会装置。
【請求項５】
前記登録手段が、前記組合せ手段によって組み合わされた前記組み合わせたものを金額の降順又は昇順のいずれかの順番に従って並び替える登録並び替え手段を、さらに有してなるものである、請求項４に記載の債権照会装置。
【請求項６】
請求項１乃至５のいずれかに記載の前記債権照会装置としてコンピュータを機能させるためのプログラム。
【請求項７】
請求項１乃至５のいずれかに記載の前記債権照会装置としてコンピュータを機能させるためのプログラムを記録したコンピュータ読み取り可能な記憶媒体。
【発明の詳細な説明】
【０００１】
【発明の属する技術分野】
本発明は、債権照会装置に関し、より詳細には、債権の取引（即ち、譲渡及び譲受）を円滑化する債権照会装置に関する。
【０００２】
【従来の技術】
債権とは、特定の相手方にある一定の行為を要求する権利をいい、例えば、物品の引渡債権や金銭の支払債権等を例示することができる。ここに債権は、債権者の履行（弁済）によって消滅するが、債権の発生から消滅までの間に譲渡されることがある。とりわけ金銭の支払債権については履行期限が到来していないものについては、履行期限到来後に債務者が支払う金額よりも低い金額で売買（譲渡）されるのが通例であり、これを利用して財産の増加を図ることが行われている。即ち、履行期限到来前に債権をある投資金額によって購入（譲渡を受ける）し、その後、該債権の履行期限到来後に債務者が支払う支払い金額（該投資金額よりも大きい）を受け取り、該支払い金額と該投資金額との差額を利益額として受け取るものである。
【０００３】
【発明が解決しようとする課題】
かかる債権の譲渡は、従前から行われてきたが、資金調達の円滑化や経済活動の活発化等の要請から債権譲渡の一層の促進を求める要望が増加しつつある。特に、以前の経済活動に比して最近の経済活動は、迅速かつ確実を一層強く要求するものであり、従前の債権の譲渡手続ではこれらの要求に十分応えられないという問題があった。
また、これまでは譲渡対象の債権にはなりにくかった様々な種類の債権の譲渡を促進する必要もある。かかる債権としては、例えば、一般家庭等の電気、ガス及び電話等の使用料金の支払い債権や、電気工事費用の支払い債権等を例示することができる。これらの債権は、通常、少額であり、それらを従前の債権の譲渡手続に従って処理すると処理のための費用が大きな割合を占めメリットが出にくいという問題や、投資家から見て少額であるがために魅力がないという問題があった。
【０００４】
そこで本発明では、債権譲渡を迅速かつ確実に行わしめ、少額の債権についても債権譲渡の対象とすることを可能ならしめる装置を提供することを目的とする。
【０００５】
【課題を解決するための手段】
本発明の装置（以下、「本装置」という。）は、譲渡を希望する債権の少なくとも金額を含む内容を順次受け付ける登録手段と、該登録手段によって順次受け付けられる該債権の内容を順次記憶する記憶手段と、照会を希望する債権の照会条件を受け付け、該照会条件に従って該記憶手段に記憶される債権の内容を検索し、その検索した結果を出力する照会手段と、を備えてなる、債権照会装置であって、該登録手段が、譲渡を希望する債権の内容を新たに受け付けると、債権の内容を新たに受け付ける際に該記憶手段に記憶されている既登録の債権と、該新たに受け付ける債権と、を組み合わせて組み合わせたものごとの合計金額を算出し、該記憶手段が、該登録手段が組み合わせた該組み合わせたもの毎に、該組み合わせたものを構成する債権と、該組み合わせたものの合計金額と、を関連付けて記憶するものである、債権照会装置である。
【０００６】
ここにいう「債権」とは、特定の相手方にある一定の行為を要求する権利であって、金銭売買の対象となり得るものを広く含む概念であり、一例を挙げるとすれば、電気工事、上下水道工事、建築工事及び通信回線（例えば、有線電話、携帯電話、光通信回線等）工事等に伴う工事代金支払債権、物品売買に伴う代金支払債権、物品の引渡債権等を例示することができる。
また、ここにいう債権を「組み合わせたもの」とは、単独の債権と、２以上の債権を含むものと、の両方を含む概念である。例えば、債権Ａ、債権Ｂ、債権Ｃの３の債権を組み合わせたものとは、（債権Ａ）、（債権Ｂ）、（債権Ｃ）、（債権Ａ＋債権Ｂ）、（債権Ａ＋債権Ｃ）、（債権Ｂ＋債権Ｃ）、（債権Ａ＋債権Ｂ＋債権Ｃ）の合計７のものをいう。
【０００７】
本装置は、譲渡を希望する債権の少なくとも金額を含む内容を順次受け付ける登録手段と、該登録手段によって順次受け付けられる該債権の内容を順次記憶する記憶手段と、照会を希望する債権の照会条件を受け付け、該照会条件に従って該記憶手段に記憶される債権の内容を検索し、その検索した結果を出力する照会手段と、を備えている。そして、本装置の前記登録手段が、該譲渡を希望する債権の内容を新たに受け付けると、前記登録手段が、該債権の内容を新たに受け付ける際に前記記憶手段に記憶されている既登録の債権と、該新たに受け付ける債権と、を組み合わせて組み合わせたものごとの合計金額を算出する。さらに、本装置の前記記憶手段が、前記登録手段が組み合わせた該組み合わせたもの毎に、該組み合わせたものを構成する債権と、該組み合わせたものの合計金額と、を関連付けて記憶する。
従って、前記記憶手段には、本装置に受け付けられた債権を組み合わせたもののそれぞれが、該組み合わせたものを構成する債権と、該組み合わせたものの合計金額と、を関連付けて記憶されている。このため前記照会手段が、照会を希望する債権の照会条件（少なくとも債権の金額を含む。）を受け付けると、前記記憶手段に記憶されている該組み合わせたものの中から該組み合わせたものの該合計金額が該照会条件に含まれる債権金額に合致するものを検索（抽出）し、その検索（抽出）結果を出力することができる。
なお、本装置では、登録手段が、譲渡を希望する新たに受け付けた債権のうち必ずしも全ての債権と、新たに受け付ける際に記憶手段に記憶されている既登録の債権と、を組み合わせて組み合わせたものごとの合計金額を算出する必要はなく、譲渡を希望する新たに受け付けた債権のうち一部の債権と、新たに受け付ける際に記憶手段に記憶されている既登録の債権と、を組み合わせて組み合わせたものごとの合計金額を算出するようにしてよいことは言うまでもない（例えば、譲渡を希望する新たに受け付けた債権のうち他の債権との組合せによって譲渡されることを希望しない債権についてはその債権を受け付ける際に記憶手段に記憶されている既登録の債権に組み合わせられることなくそのまま単独のまま記憶手段に記憶されるようにしてもよい。）。
【０００８】
即ち、金銭の支払い（以下、「投資」という。）によって債権の譲受を受け、その後、該債権の債務者から給付（例えば、金銭や物品）される価値との差による財産価値増加を目的とする者（以下、「投資家」という。）は、通常、まず投資の額を決定することが多いので、本装置を用いれば、投資家が決定した投資額に合致する債権の組合せを出力することができ、それによって投資家は自己が決定した投資額に合致する債権の組合せを知ることができ、投資の決定等を迅速かつ確実に行うことができる。従って、本装置は、投資による債権譲渡を迅速かつ確実に行わしめる。加えて本装置は、少額の債権であってもそれらを組み合わせることによって投資家が満足する程度の投資額にすることができると共に、本装置によって債権処理を大幅に省力化することで債権処理の費用を大幅に減少させることができるので、少額の債権についても投資による債権譲渡の対象とすることを可能ならしめる。
【０００９】
前記登録手段が、債権の内容を新たに受け付けると前記記憶手段に記憶されている既登録の債権を読み出す既登録読み出し手段と、該既登録読み出し手段によって読み出された該既登録の債権と該新たに受け付けた債権とを組み合わせて組み合わせたものごとの合計金額を算出する組合せ手段と、を有してなるものであってもよい。
前記登録手段は、前述したように、譲渡を希望する債権の少なくとも金額を含む内容を順次受け付けると共に、譲渡を希望する債権の内容を新たに受け付けると、債権の内容を新たに受け付ける際に前記記憶手段に記憶されている既登録の債権と、該新たに受け付ける債権と、を組み合わせて組み合わせたものごとの合計金額を算出するものであればいかなるものであってもよく特に限定されないが、例えば、債権の内容を新たに受け付けると前記記憶手段に記憶されている既登録の債権を読み出す既登録読み出し手段と、該既登録読み出し手段によって読み出された該既登録の債権と該新たに受け付けた債権とを組み合わせて組み合わせたものごとの合計金額を算出する組合せ手段と、を有してなるものであってもよい。こうすることで既登録読み出し手段が前記記憶手段に記憶されている既登録の債権を一括して読み出すことができ、組合せ手段が、該既登録の債権と該新たに受け付けた債権とを一緒に組み合わせることができるので、前記記憶手段に記憶されている既登録の債権の読み出しを行いつつ債権を組み合わせる場合に比してより迅速な処理が可能となる。
【００１０】
前記登録手段が、前記組合せ手段によって組み合わされた前記組み合わせたものを金額の降順又は昇順のいずれかの順番に従って並び替える登録並び替え手段を、さらに有してなるものであってもよい。
こうすることで、該登録並び替え手段が、前記組合せ手段によって組み合わされた前記組み合わせたものを金額の降順又は昇順のいずれかの順番に従って並び替え、該並び替えられた前記組み合わせたものを前記記憶手段が記憶する。このため前記記憶手段に記憶される債権の内容が、金額の降順又は昇順のいずれかの順番に従って並ぶので、前記照会手段が、照会条件に従って前記記憶手段に記憶される債権の内容を検索する際、検索を迅速かつ正確に行うことができる（即ち、照会条件に含まれる債権金額に合致する合計金額を有する前記組み合わせたものを迅速かつ正確に検索することができる。）。
【００１１】
譲受を希望する債権を特定する譲受債権特定条件を受け付け、前記記憶手段が譲渡する対象として記憶している該譲受債権特定条件に合致する債権を譲渡する対象から除外し、そして前記記憶手段が譲渡する対象として記憶している該譲受債権特定条件に合致する債権を前記記憶手段の譲渡する対象から除外した残りに存する債権を組み合わせて除外後の組み合わせたものごとの合計金額を算出する購入手段を、さらに備え、前記記憶手段が、該購入手段が組み合わせた該除外後の組み合わせたもの毎に、該除外後の組み合わせたものを構成する債権と、該除外後の組み合わせたものの合計金額と、を関連付けて記憶するものであってもよい。
こうすることで該購入手段が、譲受を希望する債権（即ち、購入を希望する債権）を特定する譲受債権特定条件を受け付け、前記記憶手段が譲渡する対象として記憶している該譲受債権特定条件に合致する債権を譲渡する対象から除外するので、購入される債権が前記記憶手段が譲渡する対象として記憶している債権から確実に除外され二重譲渡を確実に防止することができる。そして、該購入手段が、前記記憶手段が譲渡する対象として記憶している該譲受債権特定条件に合致する債権を前記記憶手段の譲渡する対象から除外した残りに存する債権を組み合わせて除外後の組み合わせたものごとの合計金額を算出するので、購入される債権を除いた残りの譲渡対象の債権を組み合わせると共に該除外後の組み合わせたものごとの合計金額を算出する。さらに、前記記憶手段が、該購入手段が組み合わせた該除外後の組み合わせたもの毎に、該除外後の組み合わせたものを構成する債権と、該除外後の組み合わせたものの合計金額と、を関連付けて記憶する。このため債権を購入する際、該債権を前記記憶手段が譲渡する対象として記憶している債権から除外しても、本装置は除外前と同様に機能することができる。
【００１２】
前記購入手段が、前記譲受債権特定条件を受け付けると前記記憶手段に譲渡する対象として記憶されている既登録の債権を読み出す購入読み出し手段と、該購入読み出し手段によって読み出された該既登録の債権から前記譲受債権特定条件に合致する債権を譲渡する対象から除外し、該読み出された既登録の債権から前記譲受債権特定条件に合致する債権を除外した残りに存する債権を組み合わせて前記除外後の組み合わせたものごとの合計金額を算出する除外後組合せ手段と、を有するものであってもよい。
前記購入手段は、前述したように、譲受を希望する債権を特定する譲受債権特定条件を受け付け、前記記憶手段が譲渡する対象として記憶している該譲受債権特定条件に合致する債権を譲渡する対象から除外し、そして前記記憶手段が譲渡する対象として記憶している該譲受債権特定条件に合致する債権を前記記憶手段の譲渡する対象から除外した残りに存する債権を組み合わせて除外後の組み合わせたものごとの合計金額を算出するものであればいかなるものであってもよく特に限定されないが、例えば、前記譲受債権特定条件を受け付けると前記記憶手段に譲渡する対象として記憶されている既登録の債権を読み出す購入読み出し手段と、該購入読み出し手段によって読み出された該既登録の債権から前記譲受債権特定条件に合致する債権を譲渡する対象から除外し、該読み出された既登録の債権から前記譲受債権特定条件に合致する債権を除外した残りに存する債権を組み合わせて前記除外後の組み合わせたものごとの合計金額を算出する除外後組合せ手段と、を有するものであってもよい。こうすることで購入読み出し手段が前記記憶手段に記憶されている既登録の債権を一括して読み出すことができ、除外後組合せ手段が、該既登録の債権から前記譲受債権特定条件に合致する債権を譲渡する対象から除外し、該読み出された既登録の債権から前記譲受債権特定条件に合致する債権を除外した残りに存する債権を組み合わせて前記除外後の組み合わせたものごとの合計金額を算出することができるので、前記記憶手段に記憶されている既登録の債権の読み出しを行いつつ前記譲受債権特定条件に合致する債権を譲渡する対象から除外し債権を組み合わせる場合に比してより迅速な処理が可能となる。
【００１３】
前記購入手段が、前記除外後組合せ手段によって作成された前記除外後の組み合わせたものを金額の降順又は昇順のいずれかの順番に従って並び替える除外後並び替え手段を、さらに有してなるものであってもよい。
こうすることで、該除外後並び替え手段が、前記除外後組合せ手段によって組み合わされた前記除外後の組み合わせたものを金額の降順又は昇順のいずれかの順番に従って並び替え、該並び替えられた前記除外後の組み合わせたものを前記記憶手段が記憶する。このため前記記憶手段に記憶される債権の内容が、金額の降順又は昇順のいずれかの順番に従って並ぶので、前記照会手段が、照会条件に従って前記記憶手段に記憶される債権の内容を検索する際、検索を迅速かつ正確に行うことができる（即ち、照会条件に含まれる債権金額に合致する合計金額を有する前記組み合わせたものを迅速かつ正確に検索することができる。）。
【００１４】
【発明の実施の形態】
以下、本発明の実施の形態を図面を参照して説明する。しかしながら、これらによって本発明は何ら制限されるものではない。
【００１５】
図１は、一実施形態の本システム１０１のハードウエア構成を示す概略ブロック図である。図１を参照して、一実施形態の本システム１０１のハードウエア構成について説明する。本システム１０１は、ここでは種々の債権が登録され、その登録された債権を譲渡する際に用いられるシステムである。ここで、本システム１０１に登録され譲渡される債権としては、特定の相手方にある一定の行為を要求する権利であって、金銭売買の対象となり得るものであればいかなるものであってもよいが、ここでは電気工事、上下水道工事、建築工事及び通信回線（例えば、有線電話、携帯電話、光通信回線等）工事等に伴う工事代金支払債権や物品売買に伴う代金支払債権のような金銭支払い債権を対象としている。
【００１６】
本実施形態では、本システム１０１は、プログラムを内蔵させたコンピュータとそれに接続されたキーボード１１３、モニタ１１５及び大容量のハードディスク１１９とを含んでなる。
本システム１０１は、演算処理を行うＣＰＵ１１０ａ、ＣＰＵ１１０ａの作業領域等となるＲＡＭ１１０ｂ、制御プログラム等を記録するＲＯＭ１１０ｃ、情報を入力するためのキーボード１１３と、情報等を表示するためのモニタ１１５と、情報等を記憶するための大容量のハードディスク１１９と、キーボード１１３、モニタ１１５及びハードディスク１１９と情報のやり取りを行うためのインターフェイス１１０ｄと、を有する。なお、ここでは公衆通信回線たる電話回線１１７を経由しインターネット通信網を通じて、本システム１０１は、他の情報通信端末（例えば、携帯電話、ＰＨＳ、パソコン等）から自由にアクセスされることができるようになっている。もっとも本システム１０１が他の情報通信端末（例えば、携帯電話、ＰＨＳ、パソコン等）から自由にアクセスされるために用いる通信回線は、ここで用いた電話回線やインターネット通信網等に限定されるものではなく、本システム１０１が他の情報通信端末との間でデータ授受を行うことができるものであればいかなるものが用いられてもよいことは言うまでもない。
【００１７】
図２に、図１のハードウエアと主としてＲＯＭ１１０ｃに記録されるプログラムにより実現される本システム１０１の機能ブロック図を示す。本システム１０１は、機能的には、登録部２０１と案件表示部３０１と案件決定部４０１と記憶部１１９（ここでは図１に示したハードディスク１１９によって構成される。）と入出力部５０１とを有してなる。さらに、登録部２０１は、登録データ受付部２０３と既登録確認部２０５と既登録読み出し部２０７と組合せ部２０９とを含んでなる。案件表示部３０１は、投資条件受付部３０３と抽出部３０５と表示部３０７とを含んでなる。案件決定部４０１は、特定条件受付部４０３と特定時読み出し部４０５と削除部４０７と通知部４０９とを含んでなる。
なお、登録部２０１は新しく債権を登録するために主として機能し、案件表示部３０１は、登録されている債権から所望の条件に合致する債権の内容を表示するために主として機能し、案件決定部４０１は登録されている債権から所望の債権を購入（譲受）する際の処理を行うように主として機能し、記憶部１１９は債権の内容を記憶するために主として機能し、そして入出力部５０１は本システム１０１への情報の入出力を制御するように主として機能する。
また、図１に示したキーボード１１３は入出力部５０１にデータを入力することができるように接続されると共に、図１に示されたモニタ１１５は入出力部５０１からデータを受信しその内容を表示することができるように接続されている。さらに、電話回線１１７は、入出力部５０１にデータを入力することと入出力部５０１からデータを送信することができるように接続されている。
【００１８】
まず、本システム１０１が起動された状態において、キーボード１１３のいずれかのキーが押下されると、それを入出力部５０１が認識し、本システム１０１の起動画面を表示する信号をモニタ１１５に入出力部５０１は送信する。この起動画面には、「１、債権登録」、「２、債権照会」、「３、債権購入」の３項目が表示されるようになっており、本システム１０１の使用者はキーボード１１３のキー「１」、「２」、「３」のいずれかを押下することで本システム１０１の所望の機能を発揮させることができるようになっている。即ち、本システム１０１の使用者が、キーボード１１３のキー「１」を押下すると入出力部５０１が記憶している債権入力画面を表示する信号をモニタ１１５に入出力部５０１は送信する。そして、本システム１０１の使用者が、キーボード１１３のキー「２」を押下すると入出力部５０１が記憶している債権照会画面を表示する信号をモニタ１１５に入出力部５０１は送信する。さらに、本システム１０１の使用者が、キーボード１１３のキー「３」を押下すると入出力部５０１が記憶している債権購入画面を表示する信号をモニタ１１５に入出力部５０１は送信する。
【００１９】
また、本システム１０１が起動された状態において、電話回線１１７を経由して図示しない他の情報通信端末（例えば、携帯電話、ＰＨＳ、パソコン等）からアクセスされると、それを入出力部５０１が認識し、本システム１０１の起動画面を表示する信号を該図示しない他の情報通信端末に入出力部５０１は送信する。この起動画面には、上記したと同様、「１、債権登録」、「２、債権照会」、「３、債権購入」の３項目が表示されるようになっており、該図示しない他の情報通信端末の使用者が該図示しない他の情報通信端末を介して（無論、電話回線１１７を経由する。）「１」、「２」、「３」のいずれかの信号を入出力部５０１に入力することで本システム１０１の所望の機能を発揮させることができるようになっている。即ち、該図示しない他の情報通信端末の使用者が、「１」の信号を入力すると入出力部５０１が記憶している債権入力画面を表示する信号を該図示しない他の情報通信端末に入出力部５０１は送信する。そして、該図示しない他の情報通信端末の使用者が、「２」の信号を入力すると入出力部５０１が記憶している債権照会画面を表示する信号を該図示しない他の情報通信端末に入出力部５０１は送信する。さらに、該図示しない他の情報通信端末の使用者が、「３」の信号を入力すると入出力部５０１が記憶している債権購入画面を表示する信号を該図示しない他の情報通信端末に入出力部５０１は送信する。
【００２０】
そして、ここでは図示していないが、本システム１０１の利用者は、事前にそれぞれの利用者を示す個別番号（ＩＤ番号）が付与されている。各々の利用者には各々に異なる個別番号（ＩＤ番号）が一義に対応するようにされており、１の利用者には該利用者に対応する１の個別番号（ＩＤ番号）が決まり、かつ１の個別番号（ＩＤ番号）には該個別番号（ＩＤ番号）に対応する１の利用者が決まるようになっている。
本システム１０１においては、後述するように、処理を簡略化する等のために本システム１０１の利用者の特定を前記個別番号（ＩＤ番号）によって行うようにしている。
【００２１】
本システム１０１の使用者がキーボード１１３のキー「１」を押下してモニタ１１５に債権入力画面が表示されると、該使用者はキーボード１１３を用いて、新しく登録する債権の内容を該債権入力画面に記入する。具体的には、該債権入力画面には、金額（当初の購入価格であり、投資金額である。）、期間（換金可能になるまでの期間）、利率（期間満了後に換金する際の元金に対する１年当たりの利息）、債務者の個別番号（ＩＤ番号）の４の必須データ入力部分が存する。従って、該使用者は、これら４の必須入力データをキーボード１１３を用いて入力する。
この入力されたデータの一例を表１に示す。なお、表１中、債務者個別番号が債務者の個別番号（ＩＤ番号）であり、前述したように、それぞれの個別番号には該個別番号に対応する１の利用者が定まるようになっている（例えば、個別番号「１０９０２」には、（居所）岡山市野田２丁目７−１２（氏名）笠原英俊が一義に対応するようになっている。）。
【００２２】
（表１）新しく登録される債権内容のデータ
金額（円）    期間（月）    利率（％）      債務者個別番号
６５，０００          ２４          ７              １０９０２
【００２３】
表１に示したように金額、期間、利率、債務者個別番号の４の必須データの入力が債権入力画面において完了すると、本システム１０１の前記使用者は、入力キーを押下する。すると、入出力部５０１は、入力キーが押下された際に入力されている前記４の必須データ（金額、期間、利率、債務者個別番号）を一括して登録データ受付部２０３へ送信する。
なお、金額、期間、利率、債務者個別番号の４の必須データの入力は、前記した電話回線１１７を経由して図示しない他の情報通信端末（例えば、携帯電話、ＰＨＳ、パソコン等）を用いて行う場合も同様であるので、ここでは詳しい説明を省略する。
【００２４】
入出力部５０１から金額、期間、利率、債務者個別番号の４の必須データを受信した登録データ受付部２０３は、該受信した４の必須データに債権番号を付すと共に、該債権番号が付された該４の必須データを既登録確認部２０５と組合せ部２０９とに並列的に出力する。なお、ここにいう債権番号とは、登録データ受付部２０３に受信された順番に付される連番であり、本システム１０１においては１の債権番号が１の債権に対応するようになっている。なお、組合せ部２０９は、登録データ受付部２０３から受信した該４の必須データを記憶する。
既登録確認部２０５は、登録データ受付部２０３から前記４の必須データを受信すると、記憶部１１９にアクセスして記憶部１１９が既に債権の内容を記憶しているか否か確認する。その結果、記憶部１１９が未だ債権の内容を記憶していないと既登録確認部２０５が判断した場合には、既登録確認部２０５は組合せ部２０９に書き込み命令信号を発する。一方、記憶部１１９が既に債権の内容を記憶していると既登録確認部２０５が判断した場合には、既登録確認部２０５は既登録読み出し部２０７に既登録読み出し命令信号を発する。
【００２５】
記憶部１１９が未だ債権の内容を記憶していないと既登録確認部２０５が判断し、既登録確認部２０５が発した該書き込み命令信号を受信した組合せ部２０９は、既に登録データ受付部２０３から受信し記憶している前記４の必須データ（金額、期間、利率、債務者個別番号）（以下、「新規データ」という。）を、そのまま記憶部１１９に送信し記憶部１１９に記憶させる。このようにして記憶部１１９に記憶された債権データの一例を表２に示す（既に表１に示したデータが記憶部１１９に記憶される際を例として示す。）。なお、表２中に存する債権番号「０００１」は、前述したように、登録データ受付部２０３に受信された順番に登録データ受付部２０３によって付された連番である。
【００２６】
（表２）書き込み命令信号を受信した組合せ部２０９が記憶部１１９に書き込んだデータの一例
金額（円）  期間（月）  利率（％）    債務者個別番号    債権番号
６５，０００        ２４          ７            １０９０２        ０００１
【００２７】
一方、前記既登録読み出し命令信号を受信した既登録読み出し部２０７は、記憶部１１９にアクセスして記憶部１１９が既に記憶している債権の内容全てを読み出し取得する。そして、既登録読み出し部２０７は、該読み出し取得した債権の内容全てを組合せ部２０９へ送信する。
既登録読み出し部２０７から前記読み出し取得した債権の内容全てを受信した組合せ部２０９は、既に登録データ受付部２０３から受信し記憶している前記４の必須データ（金額、期間、利率、債務者個別番号）（新規データ）と、既登録読み出し部２０７から受信した前記読み出し取得した債権の内容全て（以下、「既存データ」という。）と、を用いて、新規データに含まれる債権と既存データに含まれる債権との全ての組合せを作成する。この組合せの作成を具体例によって説明する。まず、新規データとして表３に示すものが入力され、既存データとして表４に示すものが入力されるとする。
【００２８】
（表３）新規データの一例
金額（円）  期間（月）  利率（％）    債務者個別番号    債権番号
・４７，０００        １２        ３．４          １２９０７        ０００２
【００２９】
（表４）既存データの一例
金額（円）  期間（月）  利率（％）    債務者個別番号    債権番号
・６５，０００        ２４          ７            １０９０２        ０００１
【００３０】
このような新規データと既存データとを取得した組合せ部２０９は、既存データから２以上の債権が組合せられたもの（２以上の債権が含まれるもの）を除いた単独の債権のみを抽出する。ここでは既存データには、債権番号「０００１」のみが存し、かつこの債権は単独（２以上の債権が組み合わせられたものではない）の債権であるので、組合せ部２０９は、既存データから単独の債権たる債権番号「０００１」の債権を抽出する。
そして、組合せ部２０９は、既存データから抽出された単独の債権（ここでは債権番号「０００１」の債権）と新規データに含まれる債権とを用いて、これらの債権を組み合わせて組み合わせたもの（前述の通り、単独の債権と、２以上の債権を含むものと、の両方を含む。）を作成する。このようにして組合せ部２０９が作成した組み合わせたものの一例を表５に示す。なお、表５に示されたデータは、表３に示された新規データと表４に示された既存データとから形成されるものを示している。表５には、債権番号「０００２」と債権番号「０００１」との２の単独の債権データと、債権番号「０００１＋０００２」（即ち、債権番号「０００２」の債権と債権番号「０００１」の債権とが組み合わされこれら両債権を含み、金額もこれら両債権の合計金額たる１１２，０００円にされている。また、組合せの債権データは期間、利率及び債務者個別番号は有していない。）の１の２以上の債権を含むものの債権データと、が作成されている。
【００３１】
（表５）組合せ部２０９が作成した組み合わせたものの債権データ
金額（円）  期間（月）  利率（％）  債務者個別番号    債権番号
・４７，０００        １２        ３．４        １２９０７          ０００２
・６５，０００        ２４          ７          １０９０２          ０００１
・１１２，０００        −            −              −            ０００１＋０００２
【００３２】
このようにして組み合わせたもの（前述の通り、単独の債権と、２以上の債権を含むものと、の両方を含む。）のデータ（表５に示すようなもの）を作成した組合せ部２０９は、該作成した組み合わせたもののデータの金額に着目し、金額が降順（即ち、金額が高いものが上位に低いものが下位になるように順番にする。）になるように並び替える。組合せ部２０９が、表５に示した債権データを金額の降順に並び替えたものを表６に示す。
【００３３】
（表６）金額の降順に並び替えられた組み合わせたもののデータ
金額（円）  期間（月）  利率（％）    債務者個別番号    債権番号
・１１２，０００        −            −              −            ０００１＋０００２
・６５，０００        ２４          ７            １０９０２        ０００１
・４７，０００        １２        ３．４          １２９０７        ０００２
【００３４】
このように金額の降順に並び替えられた債権データは、組合せ部２０９によって記憶部１１９へ送信され、記憶部１１９によって記憶（上書きによって記憶されるので、それまで記憶していた内容は失われる。）される。
なお、参考までに、この後、さらに新規データが入力された場合の動作についても説明しておく。この状態では、既登録確認部２０５が、登録データ受付部２０３から前記４の必須データを受信し、記憶部１１９にアクセスして記憶部１１９が既に債権の内容を記憶しているか否か確認すると、記憶部１１９が既に債権の内容（即ち、表６に示されるような債権データ）を記憶していると既登録確認部２０５が判断するので、既登録確認部２０５は既登録読み出し部２０７に既登録読み出し命令信号を発する。
【００３５】
該既登録読み出し命令信号を受信した既登録読み出し部２０７は、記憶部１１９にアクセスして記憶部１１９が既に記憶している債権の内容全てを読み出し取得し、該読み出し取得した債権の内容全てを組合せ部２０９へ送信する。
既登録読み出し部２０７から前記読み出し取得した債権の内容全てを受信した組合せ部２０９は、既に登録データ受付部２０３から受信し記憶している前記４の必須データ（金額、期間、利率、債務者個別番号）（新規データ）と、既登録読み出し部２０７から受信した前記読み出し取得した債権の内容全て（以下、「既存データ」という。）と、を用いて、前述したように、新規データに含まれる債権と既存データに含まれる債権との全ての組合せを作成する。ここでは新規データとして表７に示すものが入力されるものとする（なお、既存データとしては、既に説明した表６に示すものが入力される。）。
【００３６】
（表７）新規データの一例
金額（円）  期間（月）  利率（％）    債務者個別番号    債権番号
・５１，０００        １８        ６．１          ０９８３７        ０００３
【００３７】
このような新規データ（表７）と既存データ（表６）とを取得した組合せ部２０９は、既存データ（表６）から２以上の債権が組合せられたもの（ここでは債権番号「０００１＋０００２」）を除いた単独の債権たる債権番号「０００２」及び債権番号「０００１」を抽出する。
そして、組合せ部２０９は、既存データから抽出された単独の債権（ここでは債権番号「０００２」の債権及び債権番号「０００１」の債権）と新規データに含まれる債権（ここでは債権番号「０００３」の債権）とを用いて、これらの債権を組み合わせて組み合わせたもの（前述の通り、単独の債権と、２以上の債権を含むものと、の両方を含む。）を作成する。このようにして組合せ部２０９が作成した組み合わせたものの一例を表８に示す。
【００３８】
（表８）組合せ部２０９が作成した組み合わせたものの債権データ
金額（円）  期間（月）  利率（％）  債務者個別番号    債権番号
・５１，０００        １８        ６．１        ０９８３７        ０００３
・４７，０００        １２        ３．４        １２９０７        ０００２
・６５，０００        ２４          ７          １０９０２        ０００１
・１１２，０００          −          −              −          ０００１＋０００２
・１１６，０００        −          −              −          ０００１＋０００３
・９８，０００          −          −              −          ０００２＋０００３
・１６３，０００        −          −              −          ０００１＋０００２＋０００３
【００３９】
このようにして組み合わせたもの（前述の通り、単独の債権と、２以上の債権を含むものと、の両方を含む。）のデータ（表８に示すようなもの）を作成した組合せ部２０９は、該作成した組み合わせたもののデータの金額に着目し、金額が降順（即ち、金額が高いものが上位に低いものが下位になるように順番にする。）になるように並び替える。組合せ部２０９が、表８に示した債権データを金額の降順に並び替えたものを表９に示す。なお、表９では、３の債権を含むもの「０００１＋０００２＋０００３」が先頭になり、それに２の債権を含むものが続き、最後に単独の債権が並べられているが、あくまでも並び替えは金額の降順になるようにされるものであり、構成する（含まれる）債権の個数には関係しない。
このように金額の降順に並び替えられた債権データは、前述したと同様、組合せ部２０９によって記憶部１１９へ送信され、記憶部１１９によって記憶（上書きによって記憶されるので、それまで記憶していた内容は失われる。）される。
【００４０】
（表９）金額の降順に並び替えられた債権データ
金額（円）  期間（月）  利率（％）  債務者個別番号    債権番号
・１６３，０００        −          −              −          ０００１＋０００２＋０００３
・１１６，０００        −          −              −          ０００１＋０００３
・１１２，０００          −          −              −          ０００１＋０００２
・９８，０００          −          −              −          ０００２＋０００３
・６５，０００        ２４          ７          １０９０２      ０００１
・５１，０００        １８        ６．１        ０９８３７      ０００３
・４７，０００        １２        ３．４        １２９０７      ０００２
【００４１】
本システム１０１の使用者がキーボード１１３のキー「２」を押下してモニタ１１５に債権照会画面が表示されると、該使用者はキーボード１１３を用いて、照会したい債権の条件（照会を希望する債権の照会条件）を該債権照会画面に入力する。具体的には、該債権照会画面には、金額範囲（具体的には、下限と上限とを指定できるようにされている。）、期間（換金可能になるまでの期間であり、下限と上限とを指定できるようにされている。）、利率（期間満了後に換金する際の元金に対する１年当たりの利息であり、下限と上限とを指定できるようにされている。）、債務者個別番号の４の入力可能条件が存する。これら４の項目のうち、金額範囲は必須入力条件であるが、金額範囲以外の他の３の項目は任意入力条件であり、必ずしも入力されなくてもよい。
従って、該使用者は、これら４の項目に関してキーボード１１３を用いて入力する。この入力された債権の条件の一例を表１０に示す。なお、表１０において、「−」は条件が入力されていないことを示し、具体的には、期間（月）「−〜２０」とは期間が２０ヶ月以下という意味であり、利率（％）「４〜−」とは利率が４％以上という意味である。
【００４２】
（表１０）照会したい債権の条件（照会条件）の一例
金額範囲（円）    期間（月）    利率（％）      債務者個別番号
５０，０００〜１００，０００      −〜２０      ４〜−                −
【００４３】
表１０に示したような照会したい債権の照会条件（金額範囲、期間、利率、債務者個別番号）の入力が債権照会画面において完了すると、本システム１０１の前記使用者は、入力キーを押下する。すると、入出力部５０１は、入力キーが押下された際に入力されている前記照会したい債権の条件を一括して投資条件受付部３０３へ送信する。
なお、照会したい債権の条件の入力は、前記した電話回線１１７を経由して図示しない他の情報通信端末（例えば、携帯電話、ＰＨＳ、パソコン等）を用いて行う場合も同様であるので、ここでは詳しい説明を省略する。
【００４４】
入出力部５０１から前記照会したい債権の照会条件を受信した投資条件受付部３０３は、該受信した照会したい債権の条件（以下、「投資条件」という。）を抽出部３０５へ送信する。
投資条件を受信した抽出部３０５は、記憶部１１９にアクセスして、記憶部１１９が記憶している債権のうち該受信した投資条件に合致するものがあるか検索し、合致する債権があればその債権の内容を読み出し取得する。ここに、抽出部３０５が投資条件に合致するものがあるか検索する具体的な方法は、次に示す通りである。
【００４５】
即ち、投資条件のうち金額範囲は、債権データが該金額範囲に属する金額を有するか否かによって判断する。例えば、表１０に示した投資条件を例にとれば、金額範囲が「５０，０００〜１００，０００」であるので、既に説明した表９の債権データが記憶部１１９に記憶されていれば、金額範囲「５０，０００〜１００，０００」に属する金額を有する債権番号「０００２＋０００３」と債権番号「０００１」と債権番号「０００３」とが合致する。なお、このとき記憶部１１９が記憶している債権データは、金額の降順に並んで記憶されているので投資条件の金額範囲に合致するものがあるか否かを抽出部３０５は迅速かつ確実に判断することができる（記憶部１１９において債権データが金額の降順に並んで記憶されることは、組合せ部２０９から記憶部１１９へ送信される債権データ（記憶に用いられる）が金額の降順に並べられていることは前述の通りであり、削除部４０７から記憶部１１９へ送信される債権データ（記憶に用いられる）が金額の降順に並べられていることは後述する。）。そして、投資条件のうち期間は、投資条件の期間に債権データの期間が合致するか否かによって判断する（なお、２以上の債権を含むものについては、該２以上の債権を含むものに含まれる（構成する）個々の債権全てが投資条件に合致するか否かによって判断する。該２以上の債権を含むものに含まれる個々の債権についての期間は、該２以上の債権を含むものにはデータが存しないので、該個々の債権単独の債権データによって確認する。）。例えば、表１０に示した投資条件を例にとれば、期間が「−〜２０」（２０ヶ月以下）であるので、既に説明した表９の債権データが記憶部１１９に記憶されていれば、期間「−〜２０」（２０ヶ月以下）に属する期間を有する債権番号「０００２＋０００３」（この２以上の債権を含むものに含まれる（構成する）個々の債権「０００２」と「０００３」とのいずれも期間２０ヶ月以下（それぞれ１２月と１８月）であり、該２以上の債権を含むものに含まれる（構成する）個々の債権全てが投資条件の期間に合致するので、該２以上の債権を含むものも投資条件の期間に合致すると判断される。）、債権番号「０００３」及び債権番号「０００２」が合致する。
【００４６】
さらに、投資条件のうち利率は、投資条件の利率に債権データの利率が合致するか否かによって判断する（なお、２以上の債権を含むものについては、該２以上の債権を含むものに含まれる（構成する）個々の債権全てが投資条件に合致するか否かによって判断する。該２以上の債権を含むものに含まれる個々の債権についての利率は、該２以上の債権を含むものにはデータが存しないので、該個々の債権単独の債権データによって確認する。）。例えば、表１０に示した投資条件を例にとれば、利率（％）が「４〜−」（４％以上）であるので、既に説明した表９の債権データが記憶部１１９に記憶されていれば、利率（％）「４〜−」（４％以上）に属する利率を有する債権番号「０００１＋０００３」（この２以上の債権を含むものに含まれる（構成する）個々の債権「０００１」と「０００３」とのいずれも利率４％以上（それぞれ７％と６．１％）であり、該２以上の債権を含むものを構成する個々の債権全てが投資条件の利率に合致するので、該２以上の債権を含むものも投資条件の利率に合致すると判断される。）、債権番号「０００１」及び債権番号「０００３」が合致する。
なお、ここでは投資条件のうち債務者個別番号は入力されていないので債務者個別番号による絞り込みは行わないが、もし、債務者個別番号が入力されていれば投資条件の債務者個別番号に債権データの債務者個別番号が合致するか否かによって判断する（なお、２以上の債権を含むものについては、該２以上の債権を含むものに含まれる（構成する）個々の債権全てが投資条件に合致するか否かによって判断する。該２以上の債権を含むものに含まれる個々の債権についての債務者個別番号は、該２以上の債権を含むものにはデータが存しないので、該個々の債権単独の債権データによって確認する。）。
【００４７】
また、上記した照会したい債権の条件に含まれる各項目たる金額範囲、期間、利率、債務者個別番号のうち、条件データの入力があるものについては、それぞれの条件を「かつ」として、抽出部３０５は、記憶部１１９が記憶している債権のうち該受信した投資条件に合致するものがあるか検索する。
具体的には、表１０に示した投資条件であれば、金額範囲、期間、利率、債務者個別番号のうち条件データの入力があるものとしては、金額範囲、期間、利率の３の項目であり、これら条件データの入力がある該３の項目の条件を「かつ」として抽出部３０５は、記憶部１１９が記憶している債権から合致するものを検索し合致する債権があればその債権の内容を読み出し取得する。既に説明した表９の債権データが記憶部１１９に記憶されており、表１０に示した投資条件によって抽出部３０５が記憶部１１９が記憶している債権から合致するものを検索等する場合であれば、債権番号「０００３」の債権データを記憶部１１９が記憶している債権から読み出し取得する。
【００４８】
そして、記憶部１１９が記憶している債権から該読み出し取得された債権データは、抽出部３０５から表示部３０７へ送信されると共に、表示部３０７は、該読み出し取得された債権データをモニタ１１５等に表示するための表示信号を形成し、該表示信号を入出力部５０１へ送信する。かかる該表示信号を受信した入出力部５０１は、該表示信号をモニタ１１５等に出力しモニタ１１５等に該読み出し取得された債権データを表示させる。これによって、本システム１０１の使用者は、前記照会したい債権の条件に合致する債権データを見ることができる。なお、抽出部３０５は、記憶部１１９が記憶している債権のうち該受信した投資条件に合致するものがないときは、該当する債権がないことを示す債権不存在信号を表示部３０７へ送信する。そして、該債権不存在信号を受信した表示部３０７は、「該当する債権はありません」という文言をモニタ１１５等に表示するための表示信号を形成し、該表示信号を入出力部５０１へ送信する。かかる該表示信号を受信した入出力部５０１は、該表示信号をモニタ１１５等に出力しモニタ１１５等に該文言を表示させる。これによって、本システム１０１の使用者は、前記照会したい債権の条件に合致する債権が存しないことを知ることができる。
また、このような前記照会したい債権の条件に合致する債権データや「該当する債権はありません」という文言を、前記した電話回線１１７を経由して図示しない他の情報通信端末（照会したい債権の条件が、電話回線１１７を経由して図示しない他の情報通信端末から入力された際には、入出力部５０１は該債権データや該文言を該図示しない他の情報通信端末へ電話回線１１７を経由して送信するようになっている。）に表示することは、上述したモニタ１１５に表示させる場合と同様に行うことができるので、ここでは詳しい説明を省略する。
【００４９】
本システム１０１の使用者がキーボード１１３のキー「３」を押下してモニタ１１５に債権購入画面が表示されると、該使用者はキーボード１１３を用いて、購入したい債権の債権番号（例えば、「０００２」や「０００２＋０００３」等）と該使用者の個別番号（例えば、「０６０３８」等）とを該債権購入画面に入力する。
かかる購入したい債権の債権番号と該使用者の個別番号との入力が債権購入画面において完了すると、本システム１０１の前記使用者は、入力キーを押下する。すると、入出力部５０１は、入力キーが押下された際に入力されている前記購入したい債権の債権番号と該使用者の個別番号とを特定条件受付部４０３へ送信する。
なお、購入したい債権の債権番号の入力と該使用者の個別番号とは、前記した電話回線１１７を経由して図示しない他の情報通信端末（例えば、携帯電話、ＰＨＳ、パソコン等）を用いて行う場合も同様であるので、ここでは詳しい説明を省略する。
【００５０】
入出力部５０１から前記購入したい債権の債権番号（以下、「希望債権番号」という。）と該使用者の個別番号とを受信した特定条件受付部４０３は、希望債権番号と該使用者の個別番号とを特定時読み出し部４０５と削除部４０７とに並列的に出力する。そして、削除部４０７は、特定条件受付部４０３から受信した希望債権番号と該使用者の個別番号とを記憶しておく。
特定時読み出し部４０５は、特定条件受付部４０３から希望債権番号と該使用者の個別番号とを受信すると、記憶部１１９にアクセスし記憶部１１９が記憶している債権データの全てを読み出し取得する。そして、特定時読み出し部４０５は、記憶部１１９から該読み出し取得した債権データの中に、特定条件受付部４０３から受信した希望債権番号に該当する債権が存するか否か判断し、存する場合であればそれを示す該当有り信号を通知部４０９と削除部４０７とに並列的に出力し、存しない場合であればそれを示す該当なし信号を通知部４０９と削除部４０７とに並列的に出力する。なお、特定時読み出し部４０５が、記憶部１１９から該読み出し取得した債権データの中に、特定条件受付部４０３から受信した希望債権番号に該当する債権が存する場合に該該当有り信号を削除部４０７に出力する際には、該該当有り信号に記憶部１１９から該読み出し取得した債権データ全て（以下、「読み出し債権データ」という。）を併記した状態で出力する。
【００５１】
前記該当有り信号又は前記該当なし信号を特定時読み出し部４０５から受信した通知部４０９は、前記該当有り信号を受信した場合であれば「契約が成立しました」という文言（成立通知）をモニタ１１５等に表示するための表示信号を形成しその表示信号を入出力部５０１へ送信し、前記該当なし信号を受信した場合であれば「契約できませんでした」という文言（不成立通知）をモニタ１１５等に表示するための表示信号を形成しその表示信号を入出力部５０１へ送信する。かかる表示信号を受信した入出力部５０１は、その表示信号をモニタ１１５等に出力しモニタ１１５等にこれらの文言を表示させる。これによって、希望債権番号を入力した本システム１０１の使用者は、債権が購入できたか否かを知ることができる。
また、このような「契約が成立しました」という文言や「契約できませんでした」という文言を、前記した電話回線１１７を経由して図示しない他の情報通信端末（希望債権番号が、電話回線１１７を経由して図示しない他の情報通信端末から入力された際には、入出力部５０１はこれらの文言を該図示しない他の情報通信端末へ電話回線１１７を経由して送信するようになっている。）に表示することは、上述したモニタ１１５に表示させる場合と同様に行うことができるので、ここでは詳しい説明を省略する。
【００５２】
前記該当有り信号（前述の通り、読み出し債権データが併記されている。）又は前記該当なし信号を特定時読み出し部４０５から受信した削除部４０７は、前記該当有り信号（読み出し債権データが併記されている。）を受信した場合であれば既に特定条件受付部４０３から受信し記憶している希望債権番号に該当する債権データを読み出し債権データから削除する削除処理を行い、前記該当なし信号を受信した場合であれば既に特定条件受付部４０３から受信し記憶している希望債権番号と該使用者の個別番号とを消去する。
【００５３】
ここにいう削除処理とは、次の如き第一ステップと第二ステップと第三ステップとを含む処理である。
第一ステップとしては、削除部４０７が、読み出し債権データに含まれる債権データのうち単独（２以上の債権を含むものではない）の債権データのみを抽出する。具体的には、例えば、既に説明した表９に示された債権データが読み出し債権データとすると、単独の債権データたる債権番号「０００１」、「０００３」、「０００２」の債権データのみが抽出される（即ち、２以上の債権を含むものである債権番号「０００１＋０００２＋０００３」、「０００１＋０００３」、「０００１＋０００２」、「０００２＋０００３」については抽出されない。）。
表１１に、表９に示された債権データが読み出し債権データとした場合における該抽出された債権データ（単独）を示す。
【００５４】
（表１１）抽出された債権データ（単独）の一例
金額（円）  期間（月）  利率（％）  債務者個別番号    債権番号
・６５，０００        ２４          ７          １０９０２        ０００１
・５１，０００        １８        ６．１        ０９８３７        ０００３
・４７，０００        １２        ３．４        １２９０７        ０００２
【００５５】
第二ステップとしては、削除部４０７が、読み出し債権データから前記第一ステップによって抽出された単独の債権データ（即ち、表１１に示すようなデータ）から、特定条件受付部４０３から受信し記憶している希望債権番号に該当する債権データを削除する。具体的には、例えば、前記抽出された単独の債権データが表１１に示すデータであり、そして希望債権番号として「０００３」が入力される場合であれば、債権番号「０００３」に該当する債権データを削除することで、表１２に示すような債権データを得る。
なお、ここでは希望債権番号として単独の債権（具体的には、債権番号「０００３」の債権）が入力される場合を示したが、２以上の債権を含むものを示す希望債権番号（例えば、希望債権番号「０００１＋０００３」）が入力される場合であれば、該２以上の債権を含むものに含まれる（構成する）個々の債権全て（例えば、希望債権番号が「０００１＋０００３」であれば、債権番号「０００１」に該当する債権データと、債権番号「０００３」に該当する債権データと、の両方）を前記第一ステップによって抽出された単独の債権データから削除する。
【００５６】
（表１２）希望債権番号に該当する債権データを削除した後のデータ
金額（円）  期間（月）  利率（％）  債務者個別番号      債権番号
・６５，０００        ２４          ７          １０９０２          ０００１
・４７，０００        １２        ３．４        １２９０７          ０００２
【００５７】
第三ステップとしては、削除部４０７が、前記第二ステップによって得られたデータ（即ち、表１２に示すようなデータ）に存する債権データを用いて、組み合わせたもの（前述の通り、単独の債権と、２以上の債権を含むものと、の両方を含む。）の債権データを作成する。このようにして削除部４０７が作成した該組み合わせたもの（前述の通り、単独の債権と、２以上の債権を含むものと、の両方を含む。）の債権データの一例を表１３に示す。なお、表１３に示されたデータは、表１２に示された前記第二ステップによって得られたデータから形成されるものを示している。表１３には、債権番号「０００１」と債権番号「０００２」との２の単独の債権データと、債権番号「０００１＋０００２」（即ち、債権番号「０００１」の債権と債権番号「０００２」の債権とを含み、金額もこれら両債権の合計金額たる１１２，０００円にされている。また、２以上の債権を含むものの債権データは期間、利率及び債務者個別番号のデータは有していない。）の１の２以上の債権を含むものの債権データと、が作成されている。
【００５８】
（表１３）削除部４０７が作成した組み合わせたものの債権データ
金額（円）  期間（月）  利率（％）    債務者個別番号    債権番号
・６５，０００        ２４          ７          １０９０２          ０００１
・４７，０００        １２        ３．４        １２９０７          ０００２
・１１２，０００        −          −            −              ０００１＋０００２
【００５９】
以上説明したような前記第一ステップ、前記第二ステップ及び前記第三ステップを含む削除処理を完了した削除部４０７は、次いで、削除処理によって得られた債権データ（表１３に示されるようなデータ）の金額に着目し、金額が降順（即ち、金額が高いものが上位に低いものが下位になるように順番にする。）になるように並び替える。削除部４０７が、表１３に示した債権データを金額の降順に並び替えたものを表１４に示す。なお、表１４では、２以上の債権を含むもの「０００１＋０００２」が先頭になり、それに単独の債権が続いているが、あくまでも並び替えは金額の降順になるようにされるものであり、構成する債権の個数には関係しない。
【００６０】
（表１４）削除部４０７が並び替えた債権データ
金額（円）  期間（月）  利率（％）    債務者個別番号    債権番号
・１１２，０００        −          −            −              ０００１＋０００２
・６５，０００        ２４          ７          １０９０２            ０００１
・４７，０００        １２        ３．４        １２９０７            ０００２
【００６１】
このように金額の降順に並び替えられた債権データは、削除部４０７によって記憶部１１９へ送信され、記憶部１１９によって記憶（上書きによって記憶されるので、それまで記憶していた内容は失われる。）される。
また、ここでは直接関係ないが、削除部４０７は、該金額の降順に並び替えられた債権データを記憶部１１９に記憶させた後、実施した削除処理に係る希望債権番号と、該希望債権番号を入力した使用者（債権の購入者、即ち、投資家）の個別番号と、を互いに関連付けて、図１に示したハードディスク１１９の記憶領域のうち記憶部１１９として機能する部分とは異なる部分に記憶させる（即ち、債権の譲渡実績が記録される。）。
【００６２】
次いで、本システム１０１の動作について説明する。
図３は、本システム１０１の動作のうち主として本システム１０１の機能を選択するための動作（主として入出力部５０１の動作）に関するフローチャートである。図３を参照して、本システム１０１の動作のうち主として本システム１０１の機能を選択するための動作について説明する。
まず、本システム１０１が起動された状態において、入出力部５０１が本システム１０１の使用の希望があるかどうか判断し（ｓ７０１）、使用希望があると判断した場合（ＹＥＳ）には本システム１０１の起動画面を表示する信号を入出力部５０１は送信し（ｓ７０２）、使用希望があると判断しない場合（ＮＯ）には再びｓ７０１へ戻る。なお、入出力部５０１が本システム１０１の使用の希望があるかどうか判断する方法は、キーボード１１３のいずれかのキーが押下されたか否かと、電話回線１１７を経由して図示しない他の情報通信端末（例えば、携帯電話、ＰＨＳ、パソコン等）から本システム１０１へアクセスがあったか否かと、によって判断する（該キーが押下されるか又は該他の情報通信端末から本システム１０１がアクセスされると、入出力部５０１が本システム１０１の使用の希望があると判断する。）。また、ｓ７０２における送信は、ｓ７０１においてキーボード１１３のキーが押下されたと判断した場合にはモニタ１１５へ送信され、ｓ７０１において電話回線１１７を経由して図示しない他の情報通信端末から本システム１０１へアクセスがあったと判断した場合には該図示しない他の情報通信端末へ送信される。
【００６３】
ｓ７０２の後、入出力部５０１が、起動画面において「１」が入力されたか否か判断し（ｓ７０３）、起動画面において「１」が入力されたと判断した場合（ＹＥＳ）には入出力部５０１は債権入力画面を表示する信号を送信し（ｓ７０４）後述のｓ７５１へ行き、起動画面において「１」が入力されたと判断しない場合（ＮＯ）には後述のｓ７０５へ行く。
ｓ７０５においては、入出力部５０１が、起動画面において「２」が入力されたか否か判断し（ｓ７０５）、起動画面において「２」が入力されたと判断した場合（ＹＥＳ）には入出力部５０１は債権照会画面を表示する信号を送信し（ｓ７０６）後述のｓ８０１へ行き、起動画面において「２」が入力されたと判断しない場合（ＮＯ）には後述のｓ７０７へ行く。
ｓ７０７においては、入出力部５０１が、起動画面において「３」が入力されたか否か判断し（ｓ７０７）、起動画面において「３」が入力されたと判断した場合（ＹＥＳ）には入出力部５０１は債権購入画面を表示する信号を送信し（ｓ７０８）後述のｓ８５１へ行き、起動画面において「３」が入力されたと判断しない場合（ＮＯ）にはｓ７０３へ戻る。
なお、これらｓ７０４における債権入力画面信号の送信、ｓ７０６における債権照会画面信号の送信、ｓ７０８における債権購入画面信号の送信のいずれも、ｓ７０２において起動画面を表示する信号をモニタ１１５へ送信した場合はモニタ１１５へ送信され、ｓ７０２において起動画面を表示する信号を前記図示しない他の情報通信端末へ送信した場合は前記図示しない他の情報通信端末へ送信される。
【００６４】
図４は、本システム１０１の動作のうちｓ７０４に続くｓ７５１以降の本システム１０１の動作（主として登録部２０１の動作）に関するフローチャートである。図４を参照して、本システム１０１の動作のうちｓ７０４に続くｓ７５１以降の本システム１０１の動作（主として登録部２０１の動作）について説明する。
ｓ７０４において債権入力画面を表示する信号を送信した入出力部５０１は、入力キーが押下されたか否か判断し（ｓ７５１）、入力キーが押下されたと判断した場合（ＹＥＳ）には、入出力部５０１は入力キーが押下された際に入力されている債権データ（金額、期間、利率、債務者個別番号）を一括して登録データ受付部２０３へ送信する（ｓ７５２）（なお、本システム１０１自体の動作ではないが、ｓ７０４において入出力部５０１が債権入力画面を表示する信号を送信するとモニタ１１５又は前記図示しない他の情報通信端末に債権入力画面が表示されるので、新しく債権の内容を本システム１０１に登録する者は、債権入力画面に従って該債権の内容を記入する。そして該者は、債権データの入力が債権入力画面において完了すると入力キーを押下する。）。なお、ｓ７５１において入力キーが押下されたと判断しない場合（ＮＯ）には、再び、ｓ７５１へ戻る。
【００６５】
ｓ７５２において入出力部５０１から送信された債権データ（金額、期間、利率、債務者個別番号）を受信した登録データ受付部２０３は、該受信した債権データに債権番号を付すと共に、該債権番号が付された債権データを既登録確認部２０５と組合せ部２０９とに並列的に出力する（ｓ７５３）。なお、組合せ部２０９は、登録データ受付部２０３から受信した該債権データを記憶する。
次いで、既登録確認部２０５は、登録データ受付部２０３から前記債権データ（金額、期間、利率、債務者個別番号）を受信すると、記憶部１１９にアクセスして記憶部１１９が既に債権の内容を記憶しているか否か確認し判断する（ｓ７５４）。ｓ７５４において記憶部１１９が未だ債権の内容を記憶していないと既登録確認部２０５が判断した場合（ＮＯ）には、既登録確認部２０５は組合せ部２０９に書き込み命令信号を発する（ｓ７５５）。一方、ｓ７５４において記憶部１１９が既に債権の内容を記憶していると既登録確認部２０５が判断した場合（ＹＥＳ）には、既登録確認部２０５は既登録読み出し部２０７に既登録読み出し命令信号を発する（ｓ７５６）。
【００６６】
ｓ７５４において記憶部１１９が未だ債権の内容を記憶していないと既登録確認部２０５が判断（ＮＯ）し、ｓ７５５において既登録確認部２０５が発した該書き込み命令信号を受信した組合せ部２０９は、既に登録データ受付部２０３から受信し記憶している前記債権データ（ｓ７５３において登録データ受付部２０３から組合せ部２０９へ送信されたものであり、金額、期間、利率、債務者個別番号、債権番号の５項目を有する。）（新規データ）を、そのまま記憶部１１９に送信し記憶部１１９に記憶させる（ｓ７５７）。ｓ７５７の後、後述のｓ７６３へ行く。
【００６７】
一方、ｓ７５６において既登録確認部２０５から発せられた既登録読み出し命令信号を受信した既登録読み出し部２０７は、記憶部１１９にアクセスして記憶部１１９が既に記憶している債権の内容（債権データ）全てを読み出し取得する（ｓ７５８）。そして、既登録読み出し部２０７は、ｓ７５８において読み出し取得した債権の内容全てを組合せ部２０９へ送信する（ｓ７５９）。
ｓ７５９にて既登録読み出し部２０７から送信された債権の内容全てを受信した組合せ部２０９は、既に登録データ受付部２０３から受信し記憶している前記債権データ（ｓ７５３において登録データ受付部２０３から組合せ部２０９へ送信されたものであり、金額、期間、利率、債務者個別番号、債権番号の５項目を有する。）（新規データ）と、ｓ７５９にて既登録読み出し部２０７から送信されたもの（既存データ）と、を用いて、組み合わせたもの（前述の通り、単独の債権と、２以上の債権を含むものと、の両方を含む。）の債権データを作成する（ｓ７６０）。
【００６８】
このようにしてｓ７６０において新規データと既存データとを用いて前記組み合わせたものを作成した組合せ部２０９は、該作成した債権データ（前記組み合わせたものであり、単独の債権と、２以上の債権を含むものと、の両方を含む。）の金額に着目し、金額が降順（即ち、金額が高いものが上位に低いものが下位になるように順番にする。）になるように並び替える（ｓ７６１）。
ｓ７６１において金額の降順に並び替えられた債権データは、組合せ部２０９によって記憶部１１９へ送信され、記憶部１１９によって記憶（上書きによって記憶されるので、それまで記憶していた内容は失われる。）される（ｓ７６２）。
ｓ７６２及びｓ７５７の後、ｓ７６３へ行き、作業終了か否か判断し（ｓ７６３）、作業終了であれば（ＹＥＳ）作業を終了し（ＥＮＤ）、作業終了でなければ（ＮＯ）ｓ７０１へ戻る。
【００６９】
図５は、本システム１０１の動作のうちｓ７０６に続くｓ８０１以降の本システム１０１の動作（主として案件表示部３０１の動作）に関するフローチャートである。図５を参照して、本システム１０１の動作のうちｓ７０６に続くｓ８０１以降の本システム１０１の動作（主として案件表示部３０１の動作）について説明する。
ｓ７０６において債権照会画面を表示する信号を送信した入出力部５０１は、入力キーが押下されたか否か判断し（ｓ８０１）、入力キーが押下されたと判断した場合（ＹＥＳ）には、入出力部５０１は入力キーが押下された際に入力されている前記照会したい債権の条件を一括して投資条件受付部３０３へ送信する（ｓ８０２）（なお、本システム１０１自体の動作ではないが、ｓ７０６において入出力部５０１が債権照会画面を表示する信号を送信するとモニタ１１５又は前記図示しない他の情報通信端末に債権照会画面が表示されるので、債権の照会をしたい者は、債権照会画面に従って照会したい債権の条件を入力する。そして該者は、照会したい債権の条件が債権照会画面において完了すると入力キーを押下する。）。なお、ｓ８０１において入力キーが押下されたと判断しない場合（ＮＯ）には、再び、ｓ８０１へ戻る。
【００７０】
ｓ８０２において入出力部５０１から送信された前記照会したい債権の条件を受信した投資条件受付部３０３は、該受信した照会したい債権の条件（投資条件）を抽出部３０５へ送信する（ｓ８０３）。
ｓ８０３によって投資条件受付部３０３から送信された投資条件を受信した抽出部３０５は、記憶部１１９にアクセスして、記憶部１１９が記憶している債権のうち該受信した投資条件に合致するものがあるか検索（ｓ８０４）し、合致する債権があるか否か判断し（ｓ８０５）、合致する債権があると判断した場合（ＹＥＳ）その合致する債権の内容を読み出し取得し（ｓ８０６）、合致する債権があると判断しない場合（ＮＯ）該当する債権がないことを示す債権不存在信号を表示部３０７へ送信する（ｓ８０７）。
【００７１】
そして、ｓ８０６において該読み出し取得された債権データは、抽出部３０５から表示部３０７へ送信され（ｓ８０８）、さらに表示部３０７は、ｓ８０８において送信された債権データをモニタ１１５等に表示するための表示信号を形成し、該表示信号を入出力部５０１へ送信する（ｓ８０９）。ｓ８０９にて表示部３０７から送信された該表示信号を受信した入出力部５０１は、該表示信号をモニタ１１５等に出力しモニタ１１５等に該読み出し取得された債権データを表示させる（ｓ８１０）。
一方、ｓ８０７にて抽出部３０５が送信した債権不存在信号を受信した表示部３０７は、「該当する債権はありません」という所定の文言をモニタ１１５等に表示するための表示信号を形成し、該表示信号を入出力部５０１へ送信する（ｓ８１１）。ｓ８１１にて表示部３０７から送信された表示信号を受信した入出力部５０１は、該表示信号をモニタ１１５等に出力しモニタ１１５等に該文言を表示させる（ｓ８１２）。
ｓ８１０及びｓ８１２の後、ｓ８１３へ行き、作業終了か否か判断し（ｓ８１３）、作業終了であれば（ＹＥＳ）作業を終了し（ＥＮＤ）、作業終了でなければ（ＮＯ）ｓ７０１へ戻る。
【００７２】
図６は、本システム１０１の動作のうちｓ７０８に続くｓ８５１以降の本システム１０１の動作（主として案件決定部４０１の動作）に関するフローチャートである。図６を参照して、本システム１０１の動作のうちｓ７０８に続くｓ８５１以降の本システム１０１の動作（主として案件決定部４０１の動作）について説明する。
ｓ７０８において債権購入画面を表示する信号を送信した入出力部５０１は、入力キーが押下されたか否か判断し（ｓ８５１）、入力キーが押下されたと判断した場合（ＹＥＳ）には、入出力部５０１は入力キーが押下された際に入力されている前記購入したい債権の債権番号と使用者の個別番号とを特定条件受付部４０３へ送信する（ｓ８５２）（なお、本システム１０１自体の動作ではないが、ｓ７０８において入出力部５０１が債権購入画面を表示する信号を送信するとモニタ１１５又は前記図示しない他の情報通信端末に債権購入画面が表示されるので、債権の購入を希望する者は、債権購入画面に従って購入したい債権の債権番号と該者の個別番号とを入力する。そして該者は、購入したい債権の債権番号と該者の個別番号とを債権購入画面において入力完了すると入力キーを押下する。）。なお、ｓ８５１において入力キーが押下されたと判断しない場合（ＮＯ）には、再び、ｓ８５１へ戻る。
【００７３】
ｓ８５２において入出力部５０１から送信された前記購入したい債権の債権番号（希望債権番号）と該者の個別番号とを受信した特定条件受付部４０３は、希望債権番号と該者の個別番号とを特定時読み出し部４０５と削除部４０７とに並列的に出力する（ｓ８５３）。そして、削除部４０７は、ｓ８５３において特定条件受付部４０３から送信された希望債権番号と該者の個別番号とを受信し記憶しておく。
特定時読み出し部４０５は、ｓ８５３において特定条件受付部４０３から送信された希望債権番号と該者の個別番号とを受信すると、記憶部１１９にアクセスし記憶部１１９が記憶している債権データの全てを読み出し取得する（ｓ８５４）。そして、特定時読み出し部４０５は、ｓ８５４にて記憶部１１９から読み出し取得した債権データの中に、ｓ８５３において特定条件受付部４０３から送信され受信した希望債権番号に該当する債権が存するか否か判断し（ｓ８５５）、該当する債権が存すると判断した場合（ＹＥＳ）にはそれを示す該当有り信号を通知部４０９と削除部４０７とに並列的に出力し（ｓ８５６）、該当する債権が存すると判断しない場合（ＮＯ）にはそれを示す該当なし信号を通知部４０９と削除部４０７とに並列的に出力する（ｓ８５７）。なお、特定時読み出し部４０５がｓ８５６において該当有り信号を削除部４０７に出力する際には、該該当有り信号に記憶部１１９からｓ８５４において読み出し取得した債権データ全て（以下、「読み出し債権データ」という。）を併記した状態で出力する。
【００７４】
ｓ８５６において特定時読み出し部４０５が出力した前記該当有り信号を受信した通知部４０９は、「契約が成立しました」という文言（成立通知）をモニタ１１５等に表示するための表示信号を形成しその表示信号を入出力部５０１へ送信する（ｓ８５８）。ｓ８５８にて送信された表示信号を受信した入出力部５０１は、その表示信号をモニタ１１５等に出力しモニタ１１５等にこの文言を表示させる。
ｓ８５７において特定時読み出し部４０５が出力した前記該当なし信号を受信した通知部４０９は、「契約できませんでした」という文言（不成立通知）をモニタ１１５等に表示するための表示信号を形成しその表示信号を入出力部５０１へ送信する（ｓ８５９）。ｓ８５９にて送信された表示信号を受信した入出力部５０１は、その表示信号をモニタ１１５等に出力しモニタ１１５等にこの文言を表示させる。
【００７５】
ｓ８５６において特定時読み出し部４０５が出力した前記該当有り信号を受信した削除部４０７は、ｓ８５３において特定条件受付部４０３から送信され受信した希望債権番号に該当する債権データを、読み出し債権データ（前記該当有り信号に併記されている。）から削除する削除処理を行う（ｓ８６０）。
ｓ８５７において特定時読み出し部４０５が出力した前記該当なし信号を受信した削除部４０７は、ｓ８５３において特定条件受付部４０３から送信され受信した希望債権番号と該者の個別番号とを消去する（ｓ８６１）。
ｓ８６０において削除処理を行った削除部４０７は、削除処理によって得られた債権データの金額に着目し、金額が降順（即ち、金額が高いものが上位に低いものが下位になるように順番にする。）になるように並び替える（ｓ８６２）。ｓ８６２において金額の降順に並び替えられた債権データは、削除部４０７によって記憶部１１９へ送信され、記憶部１１９によって記憶（上書きによって記憶されるので、それまで記憶していた内容は失われる。）される（ｓ８６３）。また、ここでは直接関係ないが、ｓ８６３の後、削除部４０７は、ｓ８６０において実施した削除処理に係る希望債権番号と、該希望債権番号を入力した使用者（債権の購入者、即ち、投資家）の個別番号と、を互いに関連付けて、図１に示したハードディスク１１９の記憶領域のうち記憶部１１９として機能する部分とは異なる部分に記憶させる（即ち、債権の譲渡実績が記録される。）。
ｓ８６１及びｓ８６３の後、ｓ８６４へ行き、作業終了か否か判断し（ｓ８６４）、作業終了であれば（ＹＥＳ）作業を終了し（ＥＮＤ）、作業終了でなければ（ＮＯ）ｓ７０１へ戻る。
【００７６】
以上説明したように、本システム１０１は、次のように構成されている。即ち、譲渡を希望する債権の少なくとも金額を含む内容（ここでは金額、期間、利率、債務者個別番号の前記４の必須データ）を順次受け付ける登録手段として登録部２０１が機能し、登録手段たる登録部２０１によって順次受け付けられる該債権の内容を順次記憶する記憶手段として記憶部１１９が機能し、照会を希望する債権の照会条件を受け付け、該照会条件に従って該記憶手段たる記憶部１１９に記憶される債権の内容を検索し、その検索した結果を出力する照会手段として案件表示部３０１が機能する。そして登録手段たる登録部２０１が、譲渡を希望する債権の内容を新たに受け付けると、債権の内容を新たに受け付ける際に記憶手段たる記憶部１１９に記憶されている既登録の債権（例えば、表４を参照されたい。）と、該新たに受け付ける債権（例えば、表３を参照されたい。）と、を組み合わせて組み合わせたものごとの合計金額を算出する（例えば、表５を参照されたい）。さらに、記憶手段たる記憶部１１９が、登録手段たる登録部２０１が組み合わせた該組み合わせたもの毎に、該組み合わせたものを構成する債権と、該組み合わせたものの合計金額と、を関連付けて記憶する。
【００７７】
また、ここでは登録手段たる登録部２０１が、債権の内容を新たに受け付けると記憶手段たる記憶部１１９に記憶されている既登録の債権を読み出す既登録読み出し手段（ここでは既登録確認部２０５と既登録読み出し部２０７とによって構成されている。）と、該既登録読み出し手段によって読み出された該既登録の債権と該新たに受け付けた債権とを組み合わせて組み合わせたものごとの合計金額を算出する組合せ手段（ここでは組合せ部２０９によって構成されている。）と、を有している。
さらに、ここでは登録手段たる登録部２０１が、組合せ手段たる組合せ部２０９によって組み合わされた前記組み合わせたものを金額の降順又は昇順のいずれかの順番に従って並び替える登録並び替え手段（ここでは組合せ部２０９によって構成されている。）を、さらに有している（例えば、表６を参照されたい）。
【００７８】
加えて、本システム１０１は、譲受を希望する債権を特定する譲受債権特定条件（ここでは希望債権番号）を受け付け、記憶手段たる記憶部１１９が譲渡する対象として記憶している該譲受債権特定条件（希望債権番号）に合致する債権を譲渡する対象から除外し（ここでは具体的には削除する。）、そして記憶手段たる記憶部１１９が譲渡する対象として記憶している該譲受債権特定条件（希望債権番号）に合致する債権を記憶手段たる記憶部１１９の譲渡する対象から除外した残りに存する債権（表１２を参照されたい。）を組み合わせて除外後の組み合わせたものごとの合計金額を算出する（表１３を参照されたい。）購入手段（ここでは案件決定部４０１によって構成されている。）を、さらに備えている。また、記憶手段たる記憶部１１９が、購入手段たる案件決定部４０１が組み合わせた該除外後の組み合わせたもの毎に、該除外後の組み合わせたものを構成する債権と、該除外後の組み合わせたものの合計金額と、を関連付けて記憶する。
【００７９】
そして、購入手段たる案件決定部４０１が、前記譲受債権特定条件（希望債権番号）を受け付けると記憶手段たる記憶部１１９に譲渡する対象として記憶されている既登録の債権を読み出す購入読み出し手段（ここでは特定時読み出し部４０５によって構成されている。）と、購入読み出し手段たる特定時読み出し部４０５によって読み出された該既登録の債権から前記譲受債権特定条件（希望債権番号）に合致する債権を譲渡する対象から除外し（ここでは具体的には削除する。）、該読み出された既登録の債権から前記譲受債権特定条件（希望債権番号）に合致する債権を除外した残りに存する債権を組み合わせて前記除外後の組み合わせたものごとの合計金額を算出する除外後組合せ手段（ここでは削除部４０７によって構成されている。）と、を有している。
さらに、購入手段たる案件決定部４０１が、除外後組合せ手段たる削除部４０７によって作成された前記除外後の組み合わせたものを金額の降順又は昇順のいずれかの順番に従って並び替える除外後並び替え手段（ここでは削除部４０７によって構成されている。）を、さらに有している（表１４を参照されたい。）。
【００８０】
なお、ここではそうしていないが、譲渡を希望する新たに受け付けた債権のうち必ずしも全ての債権と、新たに受け付ける際に記憶手段たる記憶部１１９に記憶されている既登録の債権と、を組み合わせて組み合わせたものごとの合計金額を算出し記憶する必要はなく（ここでは譲渡を希望する新たに受け付けた債権のうち全ての債権と、新たに受け付ける際に記憶手段たる記憶部１１９に記憶されている既登録の債権と、を組み合わせて組み合わせたものごとの合計金額を算出し記憶している。）、譲渡を希望する新たに受け付けた債権のうち一部の債権と、新たに受け付ける際に記憶手段たる記憶部１１９に記憶されている既登録の債権と、を組み合わせて組み合わせたものごとの合計金額を算出し記憶するようにしてよいことは言うまでもない（例えば、譲渡を希望する新たに受け付けた債権のうち他の債権との組合せによって譲渡されることを希望しない債権についてはその債権を受け付ける際に記憶手段たる記憶部１１９に記憶されている既登録の債権に組み合わせられることなくそのまま単独のまま記憶手段たる記憶部１１９に記憶されるようにしてもよい。）。
【００８１】
そして、購入したい債権の債権番号が長くなると（例えば、多数の債権を含むものの債権番号を、該含まれる多数の債権の債権番号を組み合わせて作れば、「０００１＋０００２＋０００３＋０００４＋０００５＋０００６＋０００７」等のように長くなる。）、本システム１０１の使用者が債権購入画面にそれをキーボード１１３等によって入力するのは面倒であるので、複数の債権を含むものについても個別の債権番号を付し、該個別の債権番号によって購入する債権を特定するようにしてよいことは言うまでもない。
【図面の簡単な説明】
【図１】一実施形態の本システムのハードウエア構成を示す概略ブロック図である。
【図２】本システムの機能ブロック図である。
【図３】本システムの動作のうち主として本システムの機能を選択するための動作（主として入出力部の動作）に関するフローチャートである。
【図４】本システムの動作のうちｓ７０４に続くｓ７５１以降の本システムの動作（主として登録部の動作）に関するフローチャートである。
【図５】本システムの動作のうちｓ７０６に続くｓ８０１以降の本システムの動作（主として案件表示部の動作）に関するフローチャートである。
【図６】本システムの動作のうちｓ７０８に続くｓ８５１以降の本システムの動作（主として案件決定部の動作）に関するフローチャートである。
【符号の説明】
１０１          本システム
１１０ａ        ＣＰＵ
１１０ｂ        ＲＡＭ
１１０ｃ        ＲＯＭ
１１０ｄ        インターフェイス
１１３          キーボード
１１５          モニタ
１１７          電話回線
１１９          ハードディスク（記憶部）
２０１          登録部
２０３          登録データ受付部
２０５          既登録確認部
２０７          既登録読み出し部
２０９          組合せ部
３０１          案件表示部
３０３          投資条件受付部
３０５          抽出部
３０７          表示部
４０１          案件決定部
４０３          特定条件受付部
４０５          特定時読み出し部
４０７          削除部
４０９          通知部
５０１          入出力部
【図１】
0003547720.tif 000002
【図２】
0003547720.tif 000003
【図３】
0003547720.tif 000004
【図４】
0003547720.tif 000005
【図５】
0003547720.tif 000006
【図６】
0003547720.tif 000007